(57)【要約】      （修正有）【課題】ユーザによる操作が不要であり、利便性の高い発電装置を提供する。【解決手段】発電装置１００の発電モジュールは、中空筒体１１１内を軸方向に移動可能な磁石１１３と、中空筒体１１１の側壁１１１ａに巻回する誘導コイル１１２とを有する。磁石１１３は、発電装置１００に対し外部から例えば振動等が加えられることで誘導コイル１１２内を往復して上下に移動する。この上下の移動は、磁石１１３が重力により下向きに移動する動作と、磁石１１３により圧縮される弾性部材１１５、１１６からの反発力を受けて磁石１１３が上向きに移動する動作とが繰り返されることにより、持続性を有する。【選択図】図１
0003169486.tif 000002
【実用新案登録請求の範囲】
【請求項１】
中空筒体、誘導コイル、少なくとも１つの磁石、回転軸、外弾性部材及び内弾性部材を有する発電モジュールを備え、前記中空筒体は、側壁、頂板、底板および第一収容空間を含み、前記誘導コイルは前記中空筒体の前記側壁に巻回され、前記磁石は前記中空筒体中の前記第一収容空間に収容され、前記回転軸は回転軸体及び該回転軸体と連結する頂部を含み、前記回転軸体は移動自在に前記中空筒体を通して前記磁石を貫通するように設置され、前記頂部は前記中空筒体の上方に設置され、前記外弾性部材は、前記中空筒体の前記頂板と前記回転軸の前記頂部との間に設置され、前記内弾性部材は、前記磁石と前記中空筒体の前記底板との間に設置され、
前記発電モジュールの前記誘導コイルに電気的に接続する回路基板と、
前記回路基板に電気的に接続する蓄電池と、
第二収容空間を有し、前記発電モジュール、前記回路基板および前記蓄電池を前記第二収容空間に収容する筐体と、
を備えることを特徴とする発電装置。
【請求項２】
前記中空筒体の前記頂板に第一貫通孔を形成し、前記中空筒体の前記底板に第二貫通孔を形成し、前記回転軸体は移動自在に前記第一貫通孔と前記第二貫通孔とを挿通するよう設置されることを特徴とする請求項１に記載の発電装置。
【請求項３】
前記発電モジュールは、更に軸蓋を有し、
前記軸蓋は、前記中空筒体の底板に結合されて第三収容空間を有し、
前記第三収容空間は、前記底板の前記第二貫通孔と前記第一収容空間とを連通することを特徴とする請求項２に記載の発電装置。
【請求項４】
前記発電モジュールは、更に第一支持部材を有し、
前記第一支持部材は、前記第一貫通孔に設置されて前記回転軸の前記回転軸体を支持することを特徴とする請求項２または３に記載の発電装置。
【請求項５】
前記発電モジュールは、更に第二支持部材を有し、
前記第二支持部材は、前記第二貫通孔に設置されて前記回転軸の前記回転軸体を支持することを特徴とする請求項２に記載の発電装置。
【請求項６】
前記磁石は、前記回転軸と一体に結合することを特徴とする請求項１に記載の発電装置。
【請求項７】
中空筒体、誘導コイル、少なくとも１つの磁石、回転軸及び外弾性部材を有する発電モジュールを備え、前記中空筒体は、側壁、頂板、底板および第一収容空間を含み、前記誘導コイルは前記中空筒体の前記側壁に巻回され、前記磁石は前記中空筒体中の前記第一収容空間に収容され、前記回転軸は、回転軸体、及び該回転軸体と連結する頂部を含み、前記回転軸体は、移動自在に前記中空筒体を通して前記磁石を貫通するよう設置され、前記頂部は前記中空筒体の上方に設置され、前記外弾性部材は、前記中空筒体の前記頂板と前記回転軸の前記頂部との間に設置され、
前記発電モジュールの前記誘導コイルに電気的に接続する回路基板と、
前記回路基板に電気的に接続する蓄電池と、
第二収容空間を有し、前記発電モジュール、前記回路基板および前記蓄電池を前記第二収容空間に収容する筐体と、
を備えることを特徴とする発電装置。
【請求項８】
前記中空筒体の前記頂板に第一貫通孔を形成し、前記中空筒体の前記底板に第二貫通孔を形成し、前記回転軸体は移動自在に前記第一貫通孔と前記第二貫通孔とを挿通するよう設置されることを特徴とする請求項７に記載の発電装置。
【請求項９】
前記発電モジュールは、更に軸蓋を有し、
前記軸蓋は、前記中空筒体の前記底板に結合されて第三収容空間を有し、
前記第三収容空間は、前記底板の前記第二貫通孔と前記第一収容空間とを連通することを特徴とする請求項８に記載の発電装置。
【請求項１０】
前記発電モジュールは、更に第一支持部材を有し、
前記第一支持部材は、前記第一貫通孔に設置されて前記回転軸の前記回転軸体を支持することを特徴とする請求項８または９に記載の発電装置。
【請求項１１】
前記発電モジュールは、更に第二支持部材を有し、
前記第二支持部材は、前記第二貫通孔に設置されて前記回転軸の前記回転軸体を支持することを特徴とする請求項８に記載の発電装置。
【請求項１２】
前記磁石は、前記回転軸と一体に結合することを特徴とする請求項７に記載の発電機装置。
【請求項１３】
中空筒体、誘導コイル、少なくとも１つの磁石、回転軸及び内弾性部材を有する発電モジュールを備え、前記中空筒体は、側壁、頂板、底板および第一収容空間を含み、前記誘導コイルは前記中空筒体の前記側壁に巻回され、前記磁石は前記中空筒体中の前記第一収容空間に収容され、前記回転軸は回転軸体を含み、前記回転軸体は、前記中空筒体を通して前記磁石を貫通するよう設置され、前記内弾性部材は、前記磁石と前記中空筒体の前記底板との間に設置され、
前記発電モジュールの前記誘導コイルに電気的に接続する回路基板と、
前記回路基板に電気的に接続する蓄電池と、
第二収容空間を有し、前記発電モジュール、前記回路基板および前記蓄電池を前記第二収容空間に収容する筐体と、
を備えることを特徴とする発電装置。
【請求項１４】
前記中空筒体の前記頂板に第一貫通孔を形成し、前記中空筒体の前記底板に第二貫通孔を形成し、前記回転軸体は第一端部と第二端部を有し、前記第一端部は前記第一貫通孔に固定され、前記第二端部は前記第二貫通孔に固定されることを特徴とする請求項１３に記載の発電装置。
【請求項１５】
前記発電モジュールは、更に第一支持部材を有し、
前記第一支持部材は、前記第一貫通孔に設置されて前記回転軸の前記回転軸体を支持することを特徴とする請求項１４に記載の発電装置。
【請求項１６】
前記発電モジュールは、更に第二支持部材を有し、
前記第二支持部材は、前記第二貫通孔に設置されて前記回転軸の前記回転軸体を支持することを特徴とする請求項１３または１４に記載の発電装置。
【請求項１７】
前記磁石の内径は前記回転軸体の外径より大きく形成されることを特徴とする請求項１３に記載の発電装置。
【請求項１８】
中空筒体、誘導コイル、少なくとも１つの磁石、回転軸、外弾性部材及び内弾性部材を有する発電モジュールを備え、前記中空筒体は、側壁、頂板、底板および第一収容空間を含み、前記誘導コイルは前記中空筒体の前記側壁に巻回され、前記磁石は前記中空筒体中の前記第一収容空間に収容され、前記回転軸は、回転軸体、及び該回転軸体と連結する頂部を含み、前記回転軸体は、移動自在に前記中空筒体を通して前記磁石を貫通するよう設置され、前記頂部は前記中空筒体の上方に設置され、前記外弾性部材は、前記中空筒体の前記頂板と前記回転軸の前記頂部との間に設置され、前記内弾性部材は、前記磁石と前記中空筒体の前記底板との間に設置され、
第二収容空間を有する筐体を備え、
前記発電モジュールは前記第二収容空間に収容されていることを特徴とする発電装置。
【請求項１９】
中空筒体、誘導コイル、少なくとも１つの磁石、回転軸及び外弾性部材を有する発電モジュールを備え、前記中空筒体は、側壁、頂板、底板および第一収容空間を含み、前記誘導コイルは前記中空筒体の前記側壁を巻回し、前記磁石は前記中空筒体中の前記第一収容空間に収容され、前記回転軸は、回転軸体、及び該回転軸体と連結する頂部を含み、前記回転軸体は、移動自在に前記中空筒体を通して前記磁石を貫通するよう設置され、前記頂部は前記中空筒体の上方に設置され、前記外弾性部材は、前記中空筒体の前記頂板と前記回転軸の前記頂部との間に設置され、
第二収容空間を有する筐体を備え、
前記発電モジュールは前記第二収容空間に収容されていることを特徴とする発電装置。
【請求項２０】
中空筒体、誘導コイル、少なくとも１つの磁石、回転軸及び内弾性部材を有する発電モジュールを備え、前記中空筒体は、側壁、頂板、底板および第一収容空間を含み、前記誘導コイルは前記中空筒体の前記側壁を巻回し、前記磁石は前記中空筒体中の前記第一収容空間に収容され、前記回転軸は回転軸体を含み、前記回転軸体は、前記中空筒体を通して前記磁石を貫通するよう設置され、前記内弾性部材は、前記磁石と前記中空筒体の前記底板との間に設置され、
第二収容空間を有する筐体を備え、
前記発電モジュールは前記第二収容空間に収容されていることを特徴とする発電装置。
【考案の詳細な説明】
【技術分野】
【０００１】
本考案は、発電装置に関し、電気エネルギを生じさせて蓄電池に蓄積する発電装置に関するものである。
【背景技術】
【０００２】
従来の発電装置は手回し式であり、特許文献１に開示された「手動式発電装置」のように、ハンドルで歯車伝動機構が回転するよう駆動し、そして、歯車伝動機構に駆動される発電モータにより電気エネルギを生じることになる。
【先行技術文献】
【特許文献】
【０００３】
【特許文献１】台湾新型公告Ｍ３１８０７０号
【考案の概要】
【考案が解決しようとする課題】
【０００４】
ところが、前記従来の手動式発電装置にはユーザの手回しが必要となって使用上不便であり、日常生活中に運用することが困難である。また、歯車伝動機構の設計は複雑であるとともにメンテナンスし難くなる。
【０００５】
本考案は、このような問題を解決する為に成されたものであり、その目的は、ユーザによる操作が不要であり、利便性の高い発電装置を提供することである。
【課題を解決するための手段】
【０００６】
本考案の発電装置は、発電モジュール、回路基板および蓄電池を含む。発電モジュールは、中空筒体、誘導コイル、少なくとも１つの磁石、回転軸、外弾性部材および内弾性部材を備える。中空筒体は、側壁、頂板、底板及び第一収容空間を含む。誘導コイルは中空筒体の側壁を巻回し、磁石は中空筒体の第一収容空間に収容される。回転軸は、回転軸体と回転軸体に連結する頂部とを含む。回転軸体は、軸方向に移動自在に、中空筒体を通して磁石を貫通するよう設置される。頂部は中空筒体の上方に設置される。外弾性部材は中空筒体の頂板と回転軸の頂部との間に設置され、内弾性部材は磁石と中空筒体の底板との間に設置される。回路基板は、発電モジュールの誘導コイルと蓄電池とに電気的に接続する。筐体は第二収容空間を有し、回路基板および蓄電池は第二収容空間に収容される。
【０００７】
本考案の発電装置は、内弾性部材が磁石に押され、外弾性部材が回転軸の頂部に圧縮されてそれぞれ反発力を生じることで、磁石を中空筒体の第一収容空間中で飛び跳ねさせて誘導コイルを往復通過させることにより、電気エネルギを生じさせて蓄電池に蓄積することができる。つまり、磁石の重力と弾性部材の弾力とを利用して磁石にコイルを往復通過させることにより、電気エネルギを生じさせて蓄電池に蓄積する発電装置が得られる。磁石の移動は例えば外部から伝わる振動などで起こるため、ユーザによる特別な操作が不要であり、利便性が高い。また、日常生活中に見落される例えば振動等の運動エネルギを利用して電気エネルギを生み出して蓄電池に蓄積することができる。
【図面の簡単な説明】
【０００８】
【図１】本考案の第一実施例による発電装置を示す断面図である。
【図２】本考案の第一実施例による発電装置の作動を示す図である。
【図３】本考案の第一実施例による発電装置が自転車に取り付けられたところを示す図である。
【図４】本考案の第一実施例による発電装置が浮体に取り付けられたところを示す図である。
【図５】本考案の第二実施例による発電装置を示す断面図である。
【図６】本考案の第二実施例による発電装置の作動を示す図である。
【図７】本考案の第三実施例による発電装置を示す断面図である。
【図８】本考案の第四実施例による発電装置を示す断面図である。
【考案を実施するための形態】
【０００９】
図１に示したものは、本考案の第一実施例による発電装置を開示したものである。この発電装置１００は、１つの発電モジュール１１０、１つの回路基板１２０、１つの蓄電池１３０および１つの筐体１４０を含む。
発電モジュール１１０は、１つの中空筒体１１１、１つの誘導コイル１１２、少なくとも１つの磁石１１３、１つの回転軸１１４、１つの外弾性部材１１５及び１つの内弾性部材１１６を備える。
【００１０】
中空筒体１１１は、１つの側壁１１１ａ、１つの頂板１１１ｂおよび１つの底板１１１ｃを有し、１つの第一収容空間１１１ｄを形成する。誘導コイル１１２は、中空筒体１１１の側壁１１１ａに固定される。本実施例においては、誘導コイル１１２は、側壁１１１ａの外表面１１１ｅに巻回されている。磁石１１３は、中空筒体１１１の第一収容空間１１１ｄに収容されている。回転軸１１４は、１つの回転軸体１１４ａ、及び回転軸体１１４ａと連結する１つの頂部１１４ｂを有する。
【００１１】
回転軸体１１４ａは、移動自在に中空筒体１１１を挿通しかつ磁石１１３を貫通するように設置される。本実施例においては、中空筒体１１１の頂板１１１ｂに第一貫通孔１１１ｆを設置し、中空筒体１１１の底板１１１ｃに第二貫通孔１１１ｇを設置し、回転軸体１１４ａは移動自在に第一貫通孔１１１ｆおよび第二貫通孔１１１ｇを通すように設置される。
【００１２】
発電モジュール１１０は、さらに１つの第一支持部材１１７および１つの第二支持部材１１８を有することが好ましい。第一支持部材１１７は第一貫通孔１１１ｆに設置され、第二支持部材１１８は第二貫通孔１１１ｇに設置される。これら第一支持部材１１７および第二支持部材１１８は、回転軸１１４の回転軸体１１４ａの支持部材として機能する。第一支持部材１１７および第二支持部材１１８は、ベアリングやワッシャー等にしてもよい。
【００１３】
回転軸１１４の頂部１１４ｂは、中空筒体１１１の上方に設置される。外弾性部材１１５は、中空筒体１１１の頂板１１１ｂと回転軸１１４の頂部１１４ｂとの間に設置される。内弾性部材１１６は、磁石１１３と中空筒体１１１の底板１１１ｃとの間に設置される。外弾性部材１１５および内弾性部材１１６は、本実施例ではコイルばねから構成されるが、板バネ或いは弾力性の有るプラスチック等にしてもよい。
【００１４】
磁石１１３は、回転軸１１４と一体に結合し、回転軸１１４の回転軸体１１４ａに結合されることで、磁石１１３と回転軸１１４は連動することができる。回路基板１２０は、発電モジュール１１０の誘導コイル１１２と電気的に接続している。蓄電池１３０は、回路基板１２０と電気的に接続している。筐体１４０は、１つの第二収容空間１４０ａを有している。発電モジュール１１０、回路基板１２０および蓄電池１３０は、第二収容空間１４０ａに収容されている。
【００１５】
図１に示すように、発電装置１００は外部から振動を与えないときに静止状態となる。外弾性部材１１５は中空筒体１１１の頂板１１１ｂと回転軸１１４の頂部１１４ｂとの間に設置されているので、回転軸１１４の頂部１１４ｂは外弾性部材１１５から上向きの力を受けて図１に示す位置で静止する。回転軸１１４は磁石１１３と一体に結合しているので、磁石１１３は回転軸１１４によって中空筒体１１１中の上部に位置させられる。
【００１６】
図２に示すように、発電装置１００に外部から振動を与えるとき、磁石１１３は重力より下降移動するとともに、回転軸１１４も下降移動する。この下降移動時に磁石１１３は誘導コイル１１２を通過する。外弾性部材１１５は頂板１１１ｂと回転軸１１４の頂部１１４ｂとの間に設置されているので、磁石１１３および回転軸１１４の下降移動時に外弾性部材１１５は頂部１１４ｂにより圧縮されて反発力を生じる。頂部１１４ｂは外弾性部材１１５の前記反発力より押されて上昇移動し、磁石１１３は回転軸１１４と連動して上昇移動する。この上昇移動時に磁石１１３は誘導コイル１１２を通過する。
【００１７】
本実施例では、内弾性部材１１６が磁石１１３と底板１１１ｃとの間に設置されることで、磁石１１３は下降移動時に内弾性部材１１６を押し、内弾性部材１１６は反発力を生じる。磁石１１３は内弾性部材１１６の前記反発力により押されて上昇移動する。
本考案においては、内弾性部材１１６が磁石１１３に押され、外弾性部材１１５が頂部１１４ｂに圧縮されてそれぞれ反発力を生じさせ、その反発力を利用して磁石１１３を中空筒体１１１の第一収容空間１１１ｄ中で飛び跳ねさせて誘導コイル１１２内を往復通過させることにより、電気エネルギを生じさせて蓄電池１３０に蓄積する。
【００１８】
本考案の発電装置１００は、上下振動を起し易いマシンや交通車両に取り付けることができ、例えば、図３に示すように自転車２００の車体２１０に取り付けられる。自転車２００は、路面を走行する時に道路の凹凸で上下振動を生じる。この振動により、車体２１０に取り付けられた発電装置１００は上下振動することになる。発電モジュール１１０の磁石１１３も中空筒体１１１の第一収容空間１１１ｄ中で飛び跳ねて誘導コイル１１２を往復通過することにより、電気エネルギを生じさせて蓄電池１３０に蓄積する。
【００１９】
図１および図２に示すように、本実施例において、発電モジュール１１０はさらに１つの軸蓋１５０を有している。この軸蓋１５０は、中空筒体１１１の底板１１１ｃと結合して１つの第三収容空間１５０ａを形成している。第三収容空間１５０ａは、底板１１１ｃの第二貫通孔１１１ｇ及び第一収容空間１１１ｄと連通している。図２に示すように、回転軸１１４の回転軸体１１４ａの下端は、磁石１１３と連動する下降移動時に第三収容空間１５０ａ中に入る。これにより、回路基板１２０および蓄電池１３０は、回転軸体１１４ａから衝撃が与えられることを避けることができる。
【００２０】
図４に示すように、発電装置１００は、浮体３００に取り付けることができる。浮体３００は、海面に浮かせると波により上下振動する。この振動により、浮体３００に取り付けた発電装置１００は上下振動することになる。発電モジュール１１０の磁石１１３も中空筒体１１１の第一収容空間１１１ｄ中で飛び跳ねて誘導コイル１１２を往復通過することにより、電気エネルギを生じさせて蓄電池１３０に蓄積する。
【００２１】
図５に示したものは、本考案の第二実施例による発電装置を開示したものである。この発電装置１００は、発電モジュール１１０、回路基板１２０、蓄電池１３０および筐体１４０を含む。発電モジュール１１０は、中空筒体１１１、誘導コイル１１２、磁石１１３、回転軸１１４及び内弾性部材１１６を備える。第二実施例が第一実施例と相違するところは、回転軸１１４の回転軸体１１４ａは１つの第一端部１１４ｃと１つの第二端部１１４ｄを有し、第一端部１１４ｃは第一貫通孔１１１ｆに固定され、第二端部１１４ｄは第二貫通孔１１１ｇに固定され、かつ磁石１１３の内径１１３ａは回転軸体１１４ａの外径１１４ｅより大きく形成され磁石１１３が回転軸体１１４ａに対し軸方向に移動可能であるところなどである。
【００２２】
図５に示すように、発電装置１００は外部から振動を与えられないときに静止状態となる。内弾性部材１１６は磁石１１３と底板１１１ｃとの間に設置されているので、磁石１１３は内弾性部材１１６に支持されて中空筒体１１１中の上部に位置している。図６に示すように、発電装置１００に外部から振動を与えるとき、磁石１１３は重力により下降移動して内弾性部材１１６を押す。そして、内弾性部材１１６は反発力を生じる。磁石１１３は、内弾性部材１１６の前記反発力により押されて上昇移動して誘導コイル１１２を通過した後に、再び重力により下降移動して誘導コイル１１２を通過する。第二実施例においては、内弾性部材１１６が磁石１１３に押されて反発力を生じることにより、磁石１１３を中空筒体１１１の第一収容空間１１１ｄ中で飛び跳ねさせて誘導コイル１１２内を往復通過させることにより、電気エネルギを生じさせて蓄電池１３０に蓄積する。
【００２３】
図７に示したものは、本考案の第三実施例による発電装置を開示したものである。この発電装置１００は、発電モジュール１１０、回路基板１２０、蓄電池１３０および筐体１４０を含む。発電モジュール１１０は、中空筒体１１１、誘導コイル１１２、磁石１１３、回転軸１１４及び内弾性部材１１６を備える。第三実施例が第一実施例と相違するところは、発電モジュール１１０が中空筒体１１１内に弾性部材を設けていないことである。
【００２４】
図８に示したものは、本考案の第四実施例による発電装置を開示したものである。この発電装置１００は、発電モジュール１１０、回路基板１２０、蓄電池１３０および筐体１４０を含む。発電モジュール１１０は、中空筒体１１１、複数の誘導コイル１１２、複数の磁石１１３、回転軸１１４及び内弾性部材１１６を備える。第四実施例が第一実施例と相違するところは、発電モジュール１１０に誘導コイル１１２群および磁石１１３群を設置し、かつ磁石１１３群が回転軸１１４と一体に結合することなどである。
【００２５】
第四実施例においては、発電装置１００に外部から振動を与えるとき、磁石１１３が重力により下降移動する。そして、内弾性部材１１６、外弾性部材１１５が圧縮されてそれぞれ反発力を生じる。この反発力により、磁石１１３を中空筒体１１１の第一収容空間１１１ｄ中で飛び跳ねさせて誘導コイル１１２を往復通過させることにより、電気エネルギを生じさせて蓄電池１３０に蓄積する。これにより、日常生活中に見落される運動エネルギを利用して電気エネルギを生み出すとともに、従来の発電装置の使用不便の問題を解決する。
【００２６】
以上、本考案をその好適な実施例に基づいて説明したが、本考案の保護範囲はこれらの実施例に限定されず、考案の趣旨を逸脱しない範囲において種々の形態で実施可能である。
【符号の説明】
【００２７】
１００      発電装置
１１０      発電モジュール
１１１      中空筒体                        １１１ａ    側壁
１１１ｂ    頂板                            １１１ｃ    底板
１１１ｄ    第一収容空間                    １１１ｅ    外表面
１１１ｆ    第一貫通孔                      １１１ｇ    第二貫通孔
１１２      誘導コイル                      
１１３      磁石                            １１３ａ    内径
１１４      回転軸                          １１４ａ    回転軸体
１１４ｂ    頂部                            １１４ｃ    第一端部
１１４ｄ    第二端部                        １１４ｅ    外径
１１５      外弾性部材                      １１６      内弾性部材
１１７      第一支持部材                    １１８      第二支持部材
１２０      回路基板                        １３０      蓄電池
１４０      筐体                            １４０ａ    第二収容空間
１５０      軸蓋                            １５０ａ    第三収容空間
２００      自転車                          ２１０      車体
３００      浮体
【図１】
0003169486.tif 000003
【図２】
0003169486.tif 000004
【図３】
0003169486.tif 000005
【図４】
0003169486.tif 000006
【図５】
0003169486.tif 000007
【図６】
0003169486.tif 000008
【図７】
0003169486.tif 000009
【図８】
0003169486.tif 000010
【手続補正書】
【提出日】平成23年5月26日(2011.5.26)
【手続補正１】
【補正対象書類名】実用新案登録請求の範囲
【補正対象項目名】請求項３
【補正方法】変更
【補正の内容】
【請求項３】
前記発電モジュールは、更に軸蓋を有し、
前記軸蓋は、前記中空筒体の前記底板に結合されて第三収容空間を有し、
前記第三収容空間は、前記底板の前記第二貫通孔と前記第一収容空間とを連通することを特徴とする請求項２に記載の発電装置。
【手続補正２】
【補正対象書類名】実用新案登録請求の範囲
【補正対象項目名】請求項１６
【補正方法】変更
【補正の内容】
【請求項１６】
前記発電モジュールは、更に第二支持部材を有し、
前記第二支持部材は、前記第二貫通孔に設置されて前記回転軸の前記回転軸体を支持することを特徴とする請求項１４に記載の発電装置。